(57)【特許請求の範囲】
【請求項１】
前端開口の上縁に係合突起を垂下形成した四角筒状の外箱と、上面に係合突起を起立させ、かつ該係合突起に隣接する係合孔を開放した箱状のツマミ部を前端に形成すると共に、該ツマミ部を底板の左右両側に連設された側板に連設したフラップにより潰れないよう支持した中舟とからなり、該ツマミ部が、該底板の前縁に順に連設した、頭板と上面板と内壁板により収納部の前端に形成され、該頭板を該外箱の該前端開口の高さより高くし、該内壁板を該前端開口の高さより低くして該上面板を該底板に対して斜めにしたことを特徴とする包装容器。
【請求項２】
前記外箱が、前記前端開口の上下縁に切欠きを形成し、前記係合突起を、該前端開口上縁の切欠きの奥部に形成している請求項１に記載の包装容器。
【請求項３】
前記外箱が、底板、側板、天板、側板、および、貼着片を幅方向に順次連設し、該底板の前側縁部に切欠きを形成し、該天板の前側縁部に切欠きを形成すると共に、該天板の切欠きの奥部に前記係合突起を形成してなる台紙を組み立ててなることを特徴とする請求項１または２に記載の包装容器。
【請求項４】
前記中舟が、底板の前側に頭板、上面板、内壁板および貼着片を順次連設し、該底板の左右両側に側板を連設し、該側板の前寄りの外縁に前記フラップを連設するとともに、該上面板に略コ字状の切込みを入れ、該切込みに囲繞形成される該内壁板から延長された部分を前記係合突起としてなる台紙を組み立ててなることを特徴とする請求項１〜３のいずれか一項に記載の包装容器。
【発明の詳細な説明】
【技術分野】
【０００１】
本発明は、粒ガム・板ガム等各種形状のガム・チョコレート・キャンディーなどの食品の収納に用いる包装容器に関する。
【背景技術】
【０００２】
従来より、菓子などを収納するための包装容器として、略四角筒形状の外箱とこの外箱にスライドさせて嵌合収納される中舟（トレー）とからなる紙製の包装容器が種々知られている。
【０００３】
特許文献１に開示されたものは、中舟の頭部（つまむ部分）が引き出す方向に倒れるようにし、使用者が外箱から中舟を引き出す際に、その頭部をつまみ易くしたスライドオープンパッケージであり、それは、具体的には、トレーの底板の先端から、頭板、ケースに嵌装される折り込み片、折曲片、トレーの底板内面に貼り付けられた貼着片を順次延長形成し、これらを適宜折り曲げることによって頭部を形成している。
【０００４】
特許文献２に開示されたものは、上記特許文献１の包装容器と同様に、中舟の頭部をつぶして持ち易くなるよう形成し、これをつまんで引き出し易いものとしているもので、外箱内面に凸となる第一突起を、中舟の頭部に形成された、開口または突起の少なくともいずれか一方からなる係合部に係合させることにより、トレーがケースにしっかりと係合する、とされている。
【特許文献１】特許２６３３４６３号公報
【特許文献２】特開２００６−３４７６１１号公報
【発明の開示】
【発明が解決しようとする課題】
【０００５】
しかし、上記特許文献１の包装容器は、一度トレーを引き出した後、トレーをケース内に戻すと、トレーの引き出す側の側面（頭板）がケースにぴったりと入らずに、外側に斜めに残ってしまう場合がある。このような場合に対して、同文献の包装容器は、頭部のトレー内部側の面にあたる折曲片上に突起を設け、当該突起が当接するケースの上面板に切込み部を設けて、突起と切込み部が係合するようにして、頭部をケース内に留めるようになっていた。
しかしながら、トレーの突起は、上記切込み部に係合し難く、トレーを嵌合状態で係止することができない場合があった。
【０００６】
上記特許文献２の包装容器は、そのような特許文献１の包装容器の問題点を解決するというもので中舟の頭部上面に突出する係合部を外箱内面に突出する係合部に係合させるものであるが、これも、その頭部の中空部を潰して板状に折り畳み可能とすることによりトレーを持ち易くしたものであるために、その押し潰し可能な頭部に形成された係合部の外箱への係合は、必ずしも確実に行われない場合がある。
【０００７】
そこで、本発明は、外箱と中舟とをより確実に係合させることのできる包装容器を提供することを課題とする。
【課題を解決するための手段】
【０００８】
請求項１記載の本発明包装容器は、前端開口の上縁に係合突起１３を垂下形成した四角筒状の外箱Ａと、上面に係合突起２５を起立させかつその係合突起２５に隣接する係合孔４８を開放した箱状のツマミ部Ｂ”を前端に形成するとともに、そのツマミ部Ｂ”を底板１５の左右両側に連設された側板３２、３３に連設したフラップ３８、３９により潰れないよう支持した中舟Ｂとからなる。
【０００９】
請求項２記載の本発明包装容器は、上記ツマミ部Ｂ”が、底板１５の前縁に順に連設した、頭板２０と上面板２１と内壁板２２により収納部の前端に形成され、上記頭板２０を上記外箱Ａの前端開口の高さより高くし、上記内壁板２２を上記前端開口の高さより低くして、上記上面板２１を底板１５に対して斜めにした請求項１記載の包装容器である。
【００１０】
請求項３記載の本発明包装容器は、上記外箱Ａが、前端開口の上下縁に切欠き１０、１１、１２を形成し、上記係合突起１３を、その前端開口上縁の切欠き１２の奥部に形成している請求項１または２記載の包装容器である。
【００１１】
請求項４記載の本発明包装容器は、上記外箱Ａが、底板１、側板２、天板３、側板４、および、貼着片５を幅方向に順次連設し、上記底板１の前側縁部に切欠き１０を形成し、上記天板３の前側縁部に切欠き１２を形成するとともにその切欠き１２の奥部に上記係合突起１３を形成してなる台紙Ａ’を組み立ててなる請求項１、２または３記載の包装容器である。
【００１２】
請求項５記載の本発明包装容器は、上記中舟Ｂが、底板１５の前側に頭板２０、上面板２１、内壁板２２、および、貼着片２３を順次連設し、上記底板１５の左右両側に側板３２、３３を連設し、その側板３２、３３の前寄りの外縁に上記フラップ３８、３９を連設するとともに、上記上面板２１に略コ字状の切込み２４を入れ、その切込み２４に囲繞形成される内壁板２２から延長された部分を上記係合突起２５としてなる台紙Ｂ’を組み立ててなる請求項１、２、３または４記載の包装容器である。
【発明の効果】
【００１３】
請求項１記載の本発明は、中舟の、外箱の係合突起に係合する係合突起および係合孔を形成している箱状のツマミ部が、側板に連設されたフラップにより潰れないよう支持されているので、封止時に外箱と中舟とを、より確実に係合させることができる。従って、その中舟は、該包装容器を傾けたりすることによっても容易に脱落しないようになっている。
【００１４】
請求項２記載の本発明は、上記中舟のツマミ部の頭板が外箱の前端開口の高さより高いので、中舟Ｂが外箱Ａに過度に差し込みすぎることが防止される。
【００１５】
請求項３記載の本発明は、上記外箱が、端開口の上下縁に切欠き１０、１１、１２を形成しているので、中舟のツマミ部がつまみやすく、その引出が行いやすい、実用的なものである。
【００１６】
請求項４記載の本発明は、底板１、側板２、天板３、側板４、貼着片５を順次連設し、上記底板１および貼着片５の長手方向一側縁部に切欠き１０、１１を形成し、上記天板３の前側縁部に形成された切欠き１２を形成するとともにその切欠き１２の奥部に係合突起１３を形成してなる台紙から上記外箱を容易に組み立てることができる。
【００１７】
請求項５記載の本発明は、底板１５の長手方向一側に頭板２０、上面板２１、内壁板２２、および、貼着片２３を、この順に連設し、上記上面板２１に折線１８上に両端を位置させた略コ字状の切込み２４を入れ、その切込み２４に囲繞される内壁板２２から延長された部分に係合突起２５を形成し、上記底板の左右両側に側板３２、３３を連設し、その側板３２、３３の前寄りの外縁に上記フラップ３８、３９を連設してなる台紙から上記中舟を容易に組み立てることができる。
【発明を実施するための最良の形態】
【００１８】
前端開口の上縁に係合突起１３を垂下形成した四角筒状の外箱Ａと、上面に係合突起２５を起立させかつその係合突起２５に隣接する係合孔４８を開放した箱状のツマミ部Ｂ”を前端に形成するとともに、そのツマミ部Ｂ”を底板１５の両側に連設された側板３２、３３に連設したフラップ３８、３９により潰れないよう支持した中舟Ｂとからなる包装容器。
【実施例１】
【００１９】
本実施例の包装容器は、粒ガムを収納包装する中舟スライド式のものである。
この包装容器は四角筒状の外箱Ａに、上面を開口した収納部の一側に箱状のツマミ部Ｂ”を潰れないように支持して形成した中舟Ｂをスライド自在に内嵌してなるものである。
【００２０】
図５のＡ’は上記外箱Ａの台紙で、それは、それぞれ細長方形をなす底板１、側板２、天板３、側板４、貼着片５を、折線６、７、８、９を介して幅方向に順次連設してなる。
１０、１１は上記底板１および貼着片５の長手方向一側（前側）縁部に形成された切欠きである。
１２は上記天板３の前側縁部に形成された切欠きで、１３は、その切欠き１２の奥部に折線１４を介して連設された係合突起である。
【００２１】
上記外箱Ａは、上記台紙Ａ’より、次の手順により組み立てられる。
折線６、７、８、９において底板１、側板２、天板３、側板４、貼着片５を各々９０°折り曲げて、前後端を開口した四角筒を形成するとともに、底板１の外面に貼着片５を重ね合わせ、これらを接着剤により接着する。
また、係合突起１３を内方に折り曲げて前端開口の上縁から垂下した状態に形成する。
【００２２】
図６のＢ’は上記中舟Ｂの台紙で、細長方形の底板１５の長手方向一側（前側）に折線１６、１７、１８、１９を介して上記外箱Ａの開口の高さよりやや高さの高い頭板２０、上面板２１、上記頭板２０（および前端開口の高さ）よりもやや高さの低い内壁板２２、および、貼着片２３を、この順に連設してなる。また、上記上面板２１には折線１８上に両端を位置させた略コ字状の切込み２４を入れてあり、その切込み２４に囲繞形成される内壁板２２から延長された部分を係合突起２５としてある。
上記底板１５の長手方向他側（後側）には、折線２６、２７を介して壁板２８と折り返し片２９とが連設されている。
上記底板１５の左右両側には折線３０、３１を介して側板３２、３３が連設されている。
その側板３２、３３の前寄りの外縁には、弧状に窪んだ切欠き３４、３５が形成されている。その切欠き３４、３５の前側には斜めに入れた折線３６、３７を介して上記上面板２１よりやや幅細の方形のフラップ３８、３９が連設されている。
上記側板３２、３３の前側および後側には折線４０、４１、４２、４３を介してフラップ４４、４５、４６、４７が連設されている。
【００２３】
上記中舟Ｂは、上記台紙Ｂ’より、次の手順により組み立てられる。
折線３０、３１において側板３２、３３を底板１５に対して９０°折り曲げて起立させるとともに、フラップ４４、４５、４６、４７を、その起立させた側板３２、３３に対して内方に９０°折り曲げ、さらに、フラップ３８、３９を内方に９０°折り曲げる。
次いで、折線１６、１７、１８、１９において頭板２０、上面板２１、内壁板２２を９０°折り曲げて上記フラップ３８、３９を囲むことにより、上記側板３２、３３の前部、頭板２０、上面板２１、内壁板２２とから中空箱状に構成され、上記フラップ３８、３９により潰れないように支持されたツマミ部Ｂ”を形成する。また、貼着片２３を底板１５の上面に接着剤で接着することにより、このツマミ部Ｂ”を該中舟Ｂの前端に固定する。
上記頭板２０は内壁板２２よりやや高さが高いので、上記上面板２１は、底板１５に対して、内方が下がった状態に傾斜することとなる。また、そのツマミ部Ｂ”の上面には、上記係合突起２５が内壁板２２の上縁から起立した状態となり、また、上記上面板２１の内壁板２２側の縁部の上記係合突起２５に隣接する位置には、切込み２４の部分が係合孔４８として開放状態となる。
【００２４】
上記のようにして組み立てられた中舟Ｂは上面に開口した収納部に所要個数の粒ガムＣ等を収納した状態で、外箱Ａに内嵌されるもので、中舟Ｂは、外箱Ａの前端開口より、その後部側からスライドして内嵌される。
その際、図２〜４に示すように、中舟Ｂのスライド（差込み）に伴って、外箱Ａの前端開口縁に垂下状態となっている係合突起１３は、中舟Ｂの係合突起２５に当接して傾倒され、該係合突起２５を乗り越えたときに垂下状態に復帰し、同時に係合孔４８に係合する（図４）。
そのスライドは、中舟Ｂのツマミ部Ｂ”をつまんで、容易に行える。
【００２５】
その際、係合突起１３がクリック音を発し、また、クリック感が感じられるので、これによって使用者は封止されたことを容易に確認できる。
【００２６】
また、中舟Ｂの頭板２０の高さは、外箱Ａの前端開口の高さよりもやや高くなっており、中舟Ｂが外箱Ａに過度に差し込みすぎることが防止される。
【００２７】
その中舟Ｂの全長が収まると、外箱Ａの係合突起１３が中舟Ｂのツマミ部Ｂ”の係合突起２５および係合孔４８に確実に係合して、ロック状態（図４）となる。
ロック状態では、上記係合突起１３が係合突起２５および係合孔４８と引っ掛かりよく係合しているので、該包装容器を傾けたりすることによっても容易に脱落しないようになっている。
【００２８】
外箱Ａの前端開口の上下縁には上記切欠き１０、１１、１２が形成されているので、封止状態の包装容器は、中舟Ｂのツマミ部Ｂ”の上下を容易につまむことができ、また、その箱状のツマミ部の上面の上面板２１は、底板１５に対して斜めにしてあるので、確実につまめるようになっており、開封時には、中舟Ｂのそのツマミ部Ｂ”をつまんで、外箱Ａより容易に引き出すことができる。
本包装容器は、中舟Ｂのツマミ部Ｂ”を箱状とし、しかもその上面を傾斜させているので、上記特許文献１、２に記載された従来の包装容器の、潰れて板状に折り畳まれるようにしている中舟のツマミ部にくらべて、格段につまみやすく、引出しが行いやすい、実用的なものである。
【００２９】
また、中舟Ｂの側壁３２、３３のツマミ部Ｂ”に隣接する箇所には弧状の切欠き３４、３５が形成されているので、粒ガムＣを取り出す際にはその切欠き３４、３５の位置で粒ガムＣの両側をつまむことにより、簡単に取り出せる。
【００３０】
なお、上記包装容器は、粒ガムの他にも、他形状のガム・チョコレート・キャンディーなどの食品を収納できるものである。
【図面の簡単な説明】
【００３１】
【図１】本発明の実施例に係る包装容器の斜視図である。
【図２】上記包装容器の外箱の突起が中舟のツマミ部に当接する直前の要部拡大縦断面図である。
【図３】その外箱の突起が中舟のツマミ部の内壁の係合突起に乗り上げた状態の同要部拡大縦断面図である。
【図４】外箱の突起が中舟のツマミ部の係合突起および係合孔に係合した状態の同要部拡大縦断面図である。
【図５】外箱の台紙の展開平面図である。
【図６】中舟の台紙の展開平面図である。
【符号の説明】
【００３２】
Ａ           外箱
Ｂ           中舟
Ｃ           粒ガム
Ａ’         台紙
Ｂ’         台紙
Ｂ”         ツマミ部
１           底板
２，４       側板
３           天板
５           貼着片
６，７，８，９，１４，１６，１７，１８，１９，２６，２７，３０，３１，３６，３７，４０，４１，４２，４３    折線
１０，１１，１２          切欠き
１３         係合突起
１５         底板
２０         頭板
２１         上面板
２２         内壁板
２３         貼着片
２４         切込み
２５         係合突起
２８         壁板
２９         折り返し片
３２，３３   側板
３４，３５   切欠き
３８，３９，４４，４５，４６，４７           フラップ
４８         係合孔
【図１】
0005237603.tif 000002
【図２】
0005237603.tif 000003
【図３】
0005237603.tif 000004
【図４】
0005237603.tif 000005
【図５】
0005237603.tif 000006
【図６】
0005237603.tif 000007